(57)【要約】【課題】閲覧者に対し、印象を高めることができる映像出力装置搭載機器、映像出力装置の投影方法を提供する。【解決手段】映像供給装置に接続される映像出力装置が映像出力装置搭載機器に搭載され、前記映像出力装置からコンテンツを投影する出力光を、前記映像出力装置搭載機器に設けられた反射部材によって反射し、この反射部材によって反射された出力光を当該コンテンツの輪郭の形状に形成されたスクリーンに投影する。また、人が所定の範囲内にいるか否かを検出する人感センサを設け、映像供給装置が、人感センサによって人を検出した際に、前記映像出力装置によってコンテンツを前記スクリーンに投影させることもできる。また、映像供給装置をサーバに通信可能に接続し、映像供給装置からの指示に応じて前記サーバにて編集されたコンテンツを前記映像供給装置が取得し、前記映像出力装置に供給するようにしてもよい。【選択図】図１
2011150221.tif 000002
【特許請求の範囲】
【請求項１】
映像供給装置に接続される映像出力装置を搭載する映像出力装置搭載機器であって、
映像出力装置からコンテンツを投影する出力光を反射する反射部材と、
前記反射部材によって反射された出力光が投影され前記映像供給装置から供給される前記コンテンツの輪郭の形状に形成されたスクリーンと、
を有することを特徴とする映像出力装置搭載機器。
【請求項２】
前記映像出力装置を収容する本体部を有し、
前記反射部材と前記スクリーンは、前記本体部に取り付け可能である
ことを特徴とする請求項１記載の映像出力装置搭載機器。
【請求項３】
前記反射部材は、反射面の形状、設置位置、設置角度の少なくともいずれかが変更可能であることを特徴とする請求項１または２記載の映像出力装置搭載機器。
【請求項４】
請求項１から請求項３のいずれか１つの映像出力装置搭載機器に映像出力装置が搭載され、当該映像出力装置に映像供給装置が接続されたコンテンツ提供システムであって、
人が所定の範囲内にいるか否かを検出する人感センサを有し、
前記映像供給装置は、
前記人感センサによって人を検出した際に、前記映像出力装置によってコンテンツを前記スクリーンに投影させる
ことを特徴とするコンテンツ提供システム。
【請求項５】
前記映像供給装置は、サーバに通信可能に接続されており、
前記映像供給装置からの指示に応じて前記サーバにて編集されたコンテンツを前記映像供給装置が取得し、前記映像出力装置に供給する
ことを特徴とする請求項４記載のコンテンツ提供システム。
【請求項６】
映像供給装置に接続される映像出力装置が映像出力装置搭載機器に搭載され、
前記映像出力装置からコンテンツを投影する出力光を、前記映像出力装置搭載機器に設けられた反射部材によって反射し、この反射部材によって反射された出力光を当該コンテンツの輪郭の形状に形成されたスクリーンに投影する
ことを特徴とする映像出力装置の投影方法。
【発明の詳細な説明】
【技術分野】
【０００１】
本発明は、映像出力装置を搭載する映像出力装置搭載機器、映像出力装置の投影方法に関する。
【背景技術】
【０００２】
プロジェクターを用いてプレゼンテーションを行い、商品等の販売促進を行うことが行われている。プロジェクターは、天井面に設置したり、台の上に設置し、スクリーンに映像を投影するタイプと、プロジェクターからの出力光を鏡で反射し、スクリーンの背面から映像を投影する背面投射型のものも利用されている。
背面投射型のプロジェクターとしては、例えば、下記の特許文献１に示すものがあり、プロジェクターそのものをケース内に収容できることから、プレゼンテーションを行うために公共の場所に設置しても、プロジェクターを外部から直接触れることができないので、プロジェクターを保護することができる。
【先行技術文献】
【特許文献】
【０００３】
【特許文献１】特開２００３−１３６８９２号公報
【発明の概要】
【発明が解決しようとする課題】
【０００４】
しかしながら、特許文献１に示す液晶プロジェクター収納装置においては、スクリーンにコンテンツを投影することによってプロモーション等を行うことができるが、単にスクリーン上にコンテンツを投影するだけではなく、閲覧者に与える印象を強くすることが望ましい。
【０００５】
本発明は、このような事情に鑑みてなされたもので、その目的は、閲覧者に対し、印象を高めることができる映像出力装置搭載機器、映像出力装置の投影方法を提供することにある。
【課題を解決するための手段】
【０００６】
上述した課題を解決するために、本発明は、映像供給装置に接続される映像出力装置を搭載する映像出力装置搭載機器であって、映像出力装置からコンテンツを投影する出力光を反射する反射部材と、前記反射部材によって反射された出力光が投影され前記映像供給装置から供給される前記コンテンツの輪郭の形状に形成されたスクリーンと、を有することを特徴とする。
【０００７】
また、本発明は、上述の映像出力装置搭載機器において、前記映像出力装置を収容する本体部を有し、前記反射部材と前記スクリーンは、前記本体部に取り付け可能であることを特徴とする。
【０００８】
また、本発明は、上述の映像出力装置搭載機器において、前記反射部材は、反射面の形状、設置位置、設置角度の少なくともいずれかが変更可能であることを特徴とする。
【０００９】
また、本発明は、上述の映像出力装置搭載機器に映像出力装置が搭載され、当該映像出力装置に映像供給装置が接続されたコンテンツ提供システムであって、人が所定の範囲内にいるか否かを検出する人感センサを有し、前記映像供給装置は、前記人感センサによって人を検出した際に、前記映像出力装置によってコンテンツを前記スクリーンに投影させることを特徴とする。
【００１０】
また、本発明は、上述の前記映像供給装置は、サーバに通信可能に接続されており、前記映像供給装置からの指示に応じて前記サーバにて編集されたコンテンツを前記映像供給装置が取得し、前記映像出力装置に供給することを特徴とする。
【００１１】
また、本発明は、映像供給装置に接続される映像出力装置が映像出力装置搭載機器に搭載され、前記映像出力装置からコンテンツを投影する出力光を、前記映像出力装置搭載機器に設けられた反射部材によって反射し、この反射部材によって反射された出力光を当該コンテンツに応じた輪郭が形成されたスクリーンに投影することを特徴とする。
【００１２】
このように、本発明は、例えば、プロジェクターからの映像を鏡で屈折させて、映像物と同じ形状のスクリーン上に投影するコンパクト型投影装置である。小さな人があたかも３Dのように出現して見え、注目度が非常に高く、集客・販売効果を向上させる電子ＰＯＰとして省スペースで実現することができる。
【００１３】
以上説明したように、この発明によれば、プロジェクターを本体内に収容し、出力光を反射部材で反射し、本体外部に取り付けられるスクリーンに投影するようにしたので、プロジェクターを外部から視認させないようにしつつ、コンテンツを投影することができる。これにより、プロジェクターによって投影されたコンテンツであることを閲覧者に意識させずにコンテンツを閲覧してもらうことができる。また、コンテンツの形状に応じたスクリーンにコンテンツが投影されるので、そのコンテンツが空間上に背景画像が非常に少ない状態で再生することができ、これにより、コンテンツそのものが空間上に浮かび上がっているかのように閲覧者に対して見せることができるので、閲覧者に対し、コンテンツを閲覧する印象を高めることができる。すなわち、コンテンツの形状とスクリーンの形状がほぼ同じであるため、スクリーン上に、見せたい対象のコンテンツのみ表現させることも可能であり、閲覧者に対し、スクリーン等の媒体を意識させることなく、コンテンツを閲覧させることができ、よりインパクトのあるコンテンツとして閲覧させることができる。
【図面の簡単な説明】
【００１４】
【図１】この発明の一実施形態による映像出力装置搭載機器を用いたコンテンツ提供システムの構成を示す概略ブロック図である。
【図２】前壁部１０ａ側から見た映像出力装置搭載機器１の構成を表す図である。
【図３】上面側（蓋１１側）から見た映像出力装置搭載機器１の構成を表す図である。
【図４】右側壁部１０ｃ側から見た映像出力装置搭載機器１の構成を表す図である。
【図５】底面側から見た映像出力装置搭載機器１の構成を表す図である。
【図６】スリット１６の構成を表す図である。
【図７】映像出力装置搭載機器１に収容されたプロジェクター３０が用いられるコンテンツ提供システムの構成を表す構成図である。
【図８】スクリーン２０を２つ映像出力装置搭載機器１に取り付けた場合を表す図である。
【図９】サーバ７０にアクセスしたコンピューター５０の出力部５５に表示される画面例を表す図である。
【発明を実施するための形態】
【００１５】
以下、本発明の一実施形態による映像出力装置搭載機器について図面を参照して説明する。図１は、この発明の一実施形態による映像出力装置搭載機器を用いたコンテンツ提供システムの構成を示す概略ブロック図である。
映像出力装置搭載機器１は、本体部１０にスクリーン２０が取り付けられ、本体部１０の内部に、映像供給装置に接続される映像出力装置が収納されている。
映像供給装置とは、例えば、ＰＣ等のコンピューターであり、映像出力装置とは、映像出力装置から供給されるコンテンツのデータを受信して出力光にて投影するプロジェクターである。
【００１６】
本体部１０の天井面には、蓋１１が設けられており、この蓋１１を開閉し、プロジェクターを本体部１０内に収容することができる。
また、本体部１０の底部の一端縁から情報に延びる後壁部には、反射部材１３が設けられる。この反射部材１３は、例えば鏡であり、本体部１０内に収納されたプロジェクターからのコンテンツを投影する出力光を本体部１０の前壁部１０ａ側へ反射する。
本体部１２には、溝１２が設けられている。
スクリーン２０は、溝１２に差し込むようにして取り付けられ、反射部材１３によって反射された出力光が投影され、プロジェクターによって投影される出力光のコンテンツの輪郭の形状に形成されている。
【００１７】
スクリーン２０は、投影するコンテンツの形状になるように樹脂板が切断されて作成されており、背面投射型のプロジェクター用のスクリーンフィルムが投影面に貼付され、背面投射用のスクリーンとしての機能を有する。
このスクリーンフィルムは、市販されている高輝度、高コントラストを有するものを用いることにより、日中の明るさであっても、また、明るい居室内であっても、スクリーンに投影されたコンテンツを視認することができる。
【００１８】
図２は、前壁部１０ａ側から見た映像出力装置搭載機器１の構成を表す図である。
映像出力装置搭載機器１は、本体部１０の長さ方向の両端に左側壁部１０ｂ、右側壁部１０ｃが設けられる。蓋１１は、左側壁部１０ｂの一端に開閉可能に取り付けられている。符号ａは、蓋１１を開いた場合を示す。このように、蓋１１は、映像出力装置搭載機器１の長さ方向に開くので、開閉時に、スクリーン２０に干渉しないようになっている。また、蓋１１を開き、プロジェクターを搭載したり、取り出すことを簡単に行うことができる。
【００１９】
反射部材１３は、取り付け台１３ｂに取り付けられており、ノブナット１３ａを回して緩め、取り付け台１３ｂに対して前面側または後方側に傾斜させる角度を変更し、ノブナット１３ａを逆方向に回して固定することができる。
取り付け台１３ｂは、アーム１４ｂを介して本体部１０の底面に固定される。ここでは、ノブナット１４ａを回して緩め、アーム１４ｂの高さ方向への長さを変更し、ノブナット１４ａを逆方向に回して固定することができる。
このようにして、反射部材１３は、高さと角度（前面側または後方側への角度）を調整することができる。
【００２０】
図３は、上面側（蓋１１側）から見た映像出力装置搭載機器１の構成を表す図である。
溝１２は、蓋１１と前壁部１０ａとの間に設けられる。この溝１２は、左側壁部１０ｂと右側壁部１０ｃとに対して垂直方向、すなわち、長さ方向Ｗに平行な向きに形成される。この溝１２には、内面側に、スクリーン２０を付勢して保持する付勢部材が設けられており、差し込まれたスクリーンが固定される。
反射部材１３は、取り付け台１３ｂとアーム１４ｂとを介して、本体部１０の底面に連結されたスライド板１５ｂに取り付けられる。ここでは、ノブナット１５ａを回して緩めることによって、スライド板１５ｂを奥行き方向Ｘにスライドさせることができ、本体部１０に対する反射部材１３の奥行き方向Ｘにおける取り付け位置を変更することができる。所望の位置に変えた後は、ノブナット１５ａを逆方向に回して固定する。ここでは、前壁部１０ａから離れる位置になるように奥行き方向Ｘを調整することにより、プロジェクター３０からスクリーン２０に出力光が到達する距離を長くすることができ、スクリーン２０に投影される映像の高さ方向の位置が高くなるように（映像を拡大するように）調整することができる。また、前壁部１０ａに近づくように反射部材１３の奥行き方向Ｘの位置を調整することにより、プロジェクター３０からスクリーン２０に出力光が到達する距離が短くすることができ、スクリーン２０に投影される映像の高さ方向の位置が低くなるように（映像を縮小するように）調整することができる。
【００２１】
図４は、右側壁部１０ｃ側から見た映像出力装置搭載機器１の構成を表す図である。
プロジェクター３０は、搭載板１８に搭載される。搭載板１８は、底面に対して傾斜させて取り付けられており、プロジェクター３０の出力光が水平面に対して所定の角度になるように傾けて固定される。搭載板１８は、一端が底面に固定されており、他端型が底面から高さ方向に一定距離離れた位置で支持部材１９ｃを介して支持台１９ｄに固定される。これにより、プロジェクター３０からの出力光を傾斜させて照射することができる。
【００２２】
支持部材１９ｃは、ノブナット１９ａを回転させることにより、支持部材１９ｄの周囲に取り付けられノブナット１９ａと搭載板１８との間に設けられた付勢部材１９ｂの付勢力を調整できるようになっており、底面に対しプロジェクター３０が傾斜する角度を微調整することができる。
【００２３】
また、反射部材１３の取り付け角度を調整することにより、プロジェクター３０からの出力光をスクリーン２０に向けて照射する角度を調整することができる。ここでは、底面に対するプロジェクター３０の傾斜角度と反射部材１３の取り付け角度を調整した結果、符号ａに示す位置にプロジェクター３０を配置した場合と同様に出力光をスクリーン２０に照射できることを示している。スライドレール１７は、スライド板１５ｂをスライドさせる際のガイドである。
【００２４】
スリット１６は、プロジェクター３０のレンズと反射部材１３との間に設けられ、プロジェクター３０からの出力光の一部を遮蔽する。ここでは、搭載板１８の支持部材１９ｄ側の一端側に取り付けられる。
【００２５】
図５は、底面側から見た映像出力装置搭載機器１の構成を表す図である。プロジェクター３０からの出力光は、反射部材１３によって反射され、スクリーン２０が配置される前壁部１０ａ側へ照射される。この出力光は、符号ａの位置にプロジェクター３０が配置された場合と同様に、スクリーン２０に対して照射される。
【００２６】
図６は、スリット１６の構成を表す図である。
スリット１６は、遮蔽板１６ａと１６ｂとが幅方向に並べられ、支持部材１６ｃと１６ｄに幅方向に移動可能に取り付けられている。遮蔽板１６ａと１６ｂは、それぞれ、幅方向ｇ、幅方向ｈに移動させることにより、遮蔽板１６ａ、１６ｂ、支持部材１６ｃ、１６ｄで囲まれた領域１６ｅを、プロジェクター３０の出力光が通過することができる。このように、遮蔽板１６ａと１６ｂとの幅方向における位置を変更することにより、出力光を通過させる幅方向の領域の大きさを変更することができる。ここでは、幅方向のみではなく、高さ方向についても調整できるようにしてもよい。この領域の幅は、スクリーン２０に投影するコンテンツ幅、すなわち、スクリーン２０に投影できる範囲の幅に応じて変更する。これにより、コンテンツの出力光は、遮蔽部材に設けられたスリットから露出した鏡の部分のみ反射して投影され、スクリーンに投影される。スクリーン２０に投影されない出力光が、閲覧者側に投影されないように制限し、眩しさを抑えることができる。
【００２７】
図７は、映像出力装置搭載機器１に収容されたプロジェクター３０が用いられるコンテンツ提供システムの構成を表す構成図である。
プロジェクター３０は、映像出力装置搭載機器１に収容され、コンピューター５０に接続される。コンピューター５０は、ネットワーク６０を介してサーバ７０に接続される。
コンピューター５０において、入力部５１は、キーボードやマウス等の入力デバイスである。通信部５２は、プロジェクター３０と通信を行う機能を有するとともに、ネットワーク６０を介してサーバ７０と通信する機能を有する。
【００２８】
記憶部５３は、各種コンテンツを記憶する。このコンテンツは、通信部５２によってプロジェクター３０に送信されることにより、プロジェクター３０によってスクリーン２０に投影される。制御部５４は、入力部５１を介して利用者から入力された指示に応じて、通信部５２を介してサーバ７０と通信を行い、コンテンツの編集をし、編集されたコンテンツを記憶部５３に記憶する。出力部５５は、液晶表示装置等のディスプレイであり、制御部５４から出力に基づいて、編集画面を表示する。人感センサ５６は、人がプロジェクター３０の所定の範囲内にいるか否かを検出する。
サーバ６０は、コンピューター５０と通信を行い、コンピューター５０からの要求に応じてコンテンツの編集を行う。
【００２９】
図８は、スクリーン２０を２つ映像出力装置搭載機器１に取り付けた場合を表す図である。ここでは、輪郭が人の形状であるスクリーン２０ａと、輪郭が矩形状であるスクリーン２０ｂとが映像出力装置搭載機器１に取り付けられている。ここで、スクリーン２０ａには、スクリーン２０の輪郭に合わせたコンテンツとして、立った状態の人が、店舗の説明や商品、サービスの説明を話すコンテンツが投影される。
このように、スクリーン２０を映像出力装置搭載機器１に複数設けることが可能である。
【００３０】
次に、コンテンツの編集についてさらに説明する。
コンテンツの編集は、サーバ７０が、コンピューター５０からの要求に応じて行う。
図９は、サーバ７０にアクセスしたコンピューター５０の出力部５５に表示される画面例を表す図である。
この画面上には、プレビュー画面２００、人型スクリーン向け編集画面３００、広告枠向け編集画面４００、プレビューボタン５００、ＯＫボタン６００が割り付けられ、表示される。
【００３１】
プレビュー画面２００は、編集がなされた後のコンテンツがスクリーンに表示された場合の画像を表示する。ここでは、スクリーン２０ａとスクリーン２０ｂとがある場合、スクリーン２０ａのプレビュー画像が領域２１０に表示され、スクリーン２０ｂのプレビュー画面が領域２２０に表示され、スクリーン以外の領域は、黒の背景色として出力される。
このように、サーバ７０は、投影対象のスクリーンの領域以外、すなわち、目的のコンテンツ以外の領域は、黒色を出力するようなコンテンツのデータを生成する。これにより、プロジェクターから照射された光がスクリーン以外の領域を通過して閲覧者側に届いたとしても、眩しさを抑えられるようになっている。
【００３２】
人型スクリーン向け編集画面３００は、スクリーン２０ａに投影するコンテンツを複数候補の中から選択するプルダウンメニューが表示される選択ボックス３１０と、選択ボックス３１０によって選択されたコンテンツのサンプルを表示する表示欄３２０とがある。選択ボックス３１０によって選択されるコンテンツは、人型スクリーンに投影されるものであれば、どのようなコンテンツでもよい。例えば、人が立っているコンテンツであって、服装が異なっていたり、手の上げ下げや話す内容が異なる複数種類の動画のコンテンツが、予めサーバの記憶装置内にされており、この中から選択する。
【００３３】
広告枠向け編集画面４００は、スクリーン２０ｂに表示するコンテンツを編集する画面である。このスクリーン２０ｂに表示するコンテンツは、テキストや静止画、動画であってもよいが、ここでは、テキストを表示させる場合の編集画面について説明する。選択欄４１０は、スクリーン２０ｂに表示されるテキストのフォントを複数の選択肢の中から選択するプルダウンメニューである。選択欄４２０は、スクリーン２０ｂに表示されるテキストの文字サイズを複数の選択肢の中から選択するプルダウンメニューである。
テキストボックス４３０は、スクリーン２０ｂに表示されるテキストを入力する入力欄である。このテキストボックス４３０には、キーボードからテキストデータを入力することができ、このテキストボックス４３０に入力されたテキストデータが、選択欄４１０によって選択されたフォントと、選択欄４２０によって選択された文字サイズとに従って、プレビュー画面２００に表示され、編集が確定されたデータが、スクリーン２０ｂに表示される。このコンテンツは、指定されたテキストデータを、文字毎や行毎に順次表示したり、時間の経過に応じて文字の色やフォントを変更して表示するようにすることもできる。
【００３４】
プレビューボタン５００は、入力部５１によってクリックされると、人型スクリーン向け編集画面３００、広告枠向け編集画面４００、において編集された状態のプレビュー画面をプレビュー画面２００に表示させる。
ＯＫボタン６００は、入力部５１によってクリックされると、人型スクリーン向け編集画面３００、広告枠向け編集画面４００、において編集された状態のコンテンツの編集を終了し、ＯＫボタン６００をクリックされる直前に編集された結果に従ったコンテンツをサーバ７０において生成させ、サーバ７０からコンピューター５０に送信させる。
【００３５】
ここで、サーバ７０は、人型スクリーン向け編集画面３００において編集（選択）されたコンテンツを記憶部に予め記憶している。この記憶されたコンテンツは、スクリーン２０ａの輪郭に対応している。例えば、スクリーン２０ａに表示させるためのコンテンツを作成し、そのコンテンツの中から、スクリーン２０ａに表示させる対象の画像領域をサーバ７０が画像処理を行うことによって抽出し、抽出された画像領域の輪郭を出力する。この出力を行う際、所望のスクリーンのサイズになるように、拡大または縮小をして、印刷または、加工装置に出力する。そして、この出力された画像領域の輪郭に沿って、加工装置によって樹脂板を切断する加工を行ったり、加工者が、切断用の工具を利用して樹脂板を切断し、スクリーンシートを貼付することによって、コンテンツの輪郭に対応した形状のスクリーンを作成することができる。
なお、スクリーン２０ｂについても、広告枠向け編集画面４００において編集されるコンテンツの表示領域の輪郭に応じて樹脂板が加工されて作成される。
【００３６】
次に、スクリーンの配置位置の位置合わせについて説明する。
サーバ７０は、人型スクリーン向け編集画面３００、広告枠向け編集画面４００において編集された画像について、１つの画像表示領域内にレイアウトして表示するコンテンツを生成する。ここでは、レイアウトして表示する位置は、テンプレートのデータとして予め決められており、この位置にレイアウトして表示する。このように、レイアウトされたコンテンツは、プロジェクター３０によってスクリーン側に投影される際、人型スクリーン向け編集画面３００において編集されたコンテンツの形状に対応するスクリーン２０ａを、溝１２に配置する。
ここで、スクリーン２０ａ、スクリーン２０ｂを溝１２に差し込んで設置するが、幅方向の位置を、コンテンツにあわせる必要がある。ここでは、キャリブレーション用画像を、サーバ７０からコンピューター５０に送信してプロジェクター３０によって投影する。このキャリブレーション用画像には、スクリーンを配置する位置を示す目印の画像が含まれており、この目印に合わせて、各スクリーンを配置する。例えば、スクリーンを配置する幅方向における位置の中心を表す目印を投影し、利用者が、この目印がスクリーンの幅方向の中央に位置するように、スクリーンを幅方向に移動させて調整する。スクリーンの高さについては、スクリーンを所定の深さまで溝１２に差し込むことによって決まる。コンテンツの高さをスクリーンの輪郭に合うように調整する場合には、以下のいずれかを調整することによって行う。
【００３７】
（ａ）映像出力装置搭載機器１の底面に対するプロジェクター３０の傾斜角度を搭載板１８の角度を変更することによって調整する
（ｂ）アーム１４ｂの高さを変更することによって、反射部材１３の高さを変更する。
（ｃ）スライド板１５ｂをスライドさせて、反射部材１３の奥行き方向の位置を変更する。
（ｄ）取り付け台１３ｂに対する反射部材１３の取り付け角度を変更する。
【００３８】
コンテンツに対するスクリーン２０ａ、スクリーン２０ｂの位置を決定した後は、遮蔽板１６の遮蔽領域を変更し、スクリーンに投影されない領域について遮蔽する。このようにして、スクリーンの配置位置とコンテンツを決定することができる。
【００３９】
ここで、コンテンツの映像は、プロジェクター３０によって投影されるが、コンテンツの音声は、プロジェクター３０に設けられたスピーカや、コンピューター５０に接続されたスピーカから出力される。
【００４０】
コンピューター５０は、上述のようにして各種設定されたコンテンツを繰り返して出力するようにしてもよいし、人感センサ５６と連動させるようにすることもできる。例えば、人感センサ５６によって、人がプロジェクター３０の所定の範囲内に近づいたことを検出すると、コンピューター５０は、設定されたコンテンツを出力する。これにより、人が近づいたタイミングで、コンテンツの再生をスタートさせることができる。
【００４１】
ここでは、遮蔽部材を設けてスリットの幅を変更するようにしたが、鏡の幅や高さを変えて、鏡の位置を変更することにより、目的の領域外のコンテンツが投影されにくように調整することができる。
また、本体底部は、底面が二重構造になっており、プロジェクタを設置する底面の高さプロジェクタープロジェクターを設置する高さを変更することにより、プロジェクター本体の高さが機種毎に違っていても、本体内に収容することができるとともに、投影する高さ（レンズの高さ）を調整できる。
さらに、本体底部には、複数種類のプロジェクター底面に設けられた設置用足の位置に合わせた複数の穴が設けられている。これにより、種々のプロジェクターを収容する場合であっても、そのプロジェクターの設置用足の位置に合わせた位置に穴に設置用足を挿入することにより、種々のプロジェクターを本体内部に固定することができる。
【００４２】
ここでは、本体の天井部の上面に展示品を載せるようにしてもよい。展示品を載せつつ、スクリーンにコンテンツを投影することにより、閲覧者に対し、コンテンツを閲覧させるとともに、展示品も視認してもらうことができ、展示品の紹介を印象づけて行うことができる。
【００４３】
また、本体部に種々の装飾を行うようにしてもよい。例えば、塗装をしたり、絵柄のついた布を被せたり、装飾品を取り付けるようにしてもよい。これにより、スクリーンに投影されたコンテンツと装飾品との相乗効果を生じさせて閲覧者にコンテンツを閲覧させることができる。
【００４４】
また、上述した実施形態において、映像出力装置搭載機器１の一部に通気口を設け、プロジェクター３０から排出される熱を本体部１０の外部に排出するようにしてもよい。通気口は、プロジェクター３０の排気口の位置や大きさに対応させて設けるようにすればよい。
【００４５】
スクリーンにＩＣタグを設け、コンピューターにＩＣタグリーダを接続し、このＩＣタグリーダによって、スクリーンに取り付けられたＩＣタグの識別番号を読み出し、この識別番号に対応するコンテンツを記憶部から読み出して、プロジェクターに供給する。これにより、スクリーンを差し替えるだけで、スクリーンの形状に応じたコンテンツに切り替えることができる。従って、操作者は、どのスクリーンに対してどのコンテンツを投影すべきかを具体的に把握していなくても、必要なコンテンツをスクリーンに合わせて投影することができる。例えば、人の輪郭のスクリーンから、自動車の輪郭のスクリーンに差し替えることにより、投影されるコンテンツを、人が話すコンテンツから自動車のタイヤが回転し走っているようなコンテンツに切り替えることができる。
【００４６】
なお、以上説明した実施形態において、遮蔽板１６を設ける場合について説明したが、プロジェクター３０からの出力光のうち、表示対象のコンテンツ以外の領域を遮蔽できるものであれば、遮蔽板１６以外の形態によって遮蔽してもよい。例えば、板状の部材の他に、布などの幕によって鏡の一部を覆うようにして遮蔽してもよい。また、この遮蔽板１６は、プロジェクターの光源と鏡の間または、鏡とスクリーンとの間にいずれかの位置に設けるようにしてもよい。その両方に設けるようにしてもよい。
【００４７】
また、上述した実施形態によれば、プロジェクター３０からスクリーン２０（あるいは２０ａ、２０ｂ）に対して照射し、商品のプロモーションを行う場合について説明したが、投影するコンテンツや、スクリーンの形状を変更することにより、プロモーション以外に用いることも可能である。例えば、企業の受け付けに設置し、人感センサ５６によって来客があったことを検出した際、来客の受け付け用のコンテンツを再生したり、商品の販売ブースに設置し、商品を購入したユーザに対してユーザ登録を行う際に、ユーザ登録の仕方を案内するコンテンツを再生することも可能である。
例えば、受け付けに設置する場合には、人の上半身の形状に合わせたスクリーンを設置し、スクリーンの形状に合わせて人の上半身のコンテンツを投影することにより、受け付けにいる係員のような印象を与えることができる。また、コンテンツは、適宜変更することが可能であるので、人の上半身の形状であるスクリーンはそのままにし、投影するコンテンツを時間帯に応じて変更することにより、日中は、受け付け係の映像を投影し、夜は警備員の映像を投影することもできる。また、プロジェクターにコンテンツのデータを拒窮するコンピューターに、人感センサを接続し、この人感センサによって受け付けの所定の範囲内に人が入って来たことを検出した場合に、「いらっしゃいませ」と音声を出力するとともに、映像を出力したり、人感センサによって受け付けの所定の範囲から人が出ていったことを検出した場合に、「ありがとうございました」と音声を出力するとともに、映像を出力することもできる。このように、各種センサと連動し、センサの検出結果に応じてコンテンツを変えて出力することもできる。
【００４８】
また、街頭や店舗内、イベント会場、商業施設内に設置し、各種商品の広告を行うことも可能である。さらには、結婚式の受け付け台や、両家の間に設置し、新郎と新婦の形状をしたスクリーンを設置し、新郎と新婦のコンテンツを投影し、ウエルカムボードとして利用することも可能である。このように、上述にコンテンツ提供システムによれば、デジタルサイネージとして実現することができる。
【００４９】
また、以上説明した実施形態によれば、単にプロジェクターを用いてスクリーンに投影した場合に比べ、鏡を用いて一度反射させるようにしたので、同じ光路の長さが同じであっても、コンパクトに纏めたプロジェクターとして利用することができる。これにより、街頭や店舗内、イベント会場、商業施設内等に持ち込み易いサイズにすることができるとともに、設置スペースを省力化することができる。
【００５０】
このように、種々のコンテンツについては、サーバ７０においてコンテンツを編集することで、実現可能である。映し出す映像に合わせたスクリーンにプロジェクターからの映像を、映像供給から投影までを容易に生成することができる。
【００５１】
また、上述の実施形態によれば、プロジェクターを本体内に収容し、出力光を反射部材で反射し、本体外部に取り付けられるスクリーンに投影するようにしたので、プロジェクターを外部から視認させないようにしつつ、コンテンツを投影することができる。これにより、プロジェクターによって投影されたコンテンツであることを閲覧者に意識させずにコンテンツを閲覧してもらうことができる。
【００５２】
また、図１におけるコンピューター５０、サーバ７０の機能を実現するためのプログラムをコンピューター読み取り可能な記録媒体に記録して、この記録媒体に記録されたプログラムをコンピュータシステムに読み込ませ、実行することにより、コンテンツの再生、コンテンツの編集を行ってもよい。なお、ここでいう「コンピュータシステム」とは、ＯＳや周辺機器等のハードウェアを含むものとする。
【００５３】
また、「コンピュータシステム」は、ＷＷＷシステムを利用している場合であれば、ホームページ提供環境（あるいは表示環境）も含むものとする。
また、「コンピューター読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピューター読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであってもよい。
【００５４】
以上、この発明の実施形態について図面を参照して詳述してきたが、具体的な構成はこの実施形態に限られるものではなく、この発明の要旨を逸脱しない範囲の設計等も含まれる。
【符号の説明】
【００５５】
１  映像出力装置搭載機器
１１  蓋
１２  溝
１３  反射部材
１０  本体部
２０  スクリーン
３０  プロジェクター
５０  コンピューター
５１  入力部
５２  通信部
５３  記憶部
５４  制御部
５５  出力部
５６  人感センサ
７０  サーバ
【図１】
2011150221.tif 000003
【図２】
2011150221.tif 000004
【図３】
2011150221.tif 000005
【図４】
2011150221.tif 000006
【図５】
2011150221.tif 000007
【図６】
2011150221.tif 000008
【図７】
2011150221.tif 000009
【図８】
2011150221.tif 000010
【図９】
2011150221.tif 000011